(57)【要約】【課題】選択された表示態様や自船の回頭、移動状況等に対して素早く的確なレーダ検知画像を表示する。【解決手段】処理用画像メモリ１０Ａは、固定の方位を基準とする固定直交座標系により各画素のアドレスが設定されている。表示用画像メモリ１０Ｂは、処理用画像メモリ１０Ａのような画素構成からなる仮定の画像メモリを設定し、当該画像メモリの全体領域を所定数の二次元配列された画素からなる画素ブロックで分割し、当該画素ブロックの画素データ群を、高速読み出し可能な一ライン上に配列して記憶する。そして、表示モード、自船位置データ、船首方位データにより読出アドレスが設定される。これにより、自船の移動・回頭状況や表示モード、モーション設定に影響されることなく、簡素な構成で且つ煩雑な処理を行わずに、素早く且つ的確な画像表示を実行できる。【選択図】  図１
2010091304.tif 000002
【特許請求の範囲】
【請求項１】
所定の周期で回転しながら所定の周波数信号の送受信を繰り返すことにより、全周方向の受信データを取得するアンテナと、
直交座標系で配列された画素データ群により構成され、極座標系の前記受信データを前記直交座標系の画素データに変換して記憶する画像メモリとを備えたレーダ装置であって、
所定の表示モードで画像データを記憶した際に、前記直交座標系において一方の座標軸上にＭ個分（Ｍは２以上の自然数）、他方の座標軸上にＮ個分（Ｎは２以上の自然数）のＭ×Ｎ個の画素データからなる画素ブロックが、前記画像メモリにおける高速に読み出せる同一ライン上に配置されるように、前記画像メモリへ前記画素データを書き込むデータ書込部と、
ラスタスキャンの方向を設定するスキャン方向設定部と、
前記ラスタスキャンの方向に前記画素データの読み出しを前記画素ブロック毎に行うことにより、表示器に表示する表示用画像データの読み出しを行うデータ読出部と、を備えたレーダ装置。
【請求項２】
前記スキャン方向設定部は、自船の船首方位に応じて前記表示用画像データの表示器における基準方位が変化する表示モード時に、船首方位の変化に追従して前記ラスタスキャンの方向を設定する、請求項１に記載のレーダ装置。
【請求項３】
表示器における自船位置の振る舞いを設定するモーション設定部をさらに備え、
前記データ読出部は、前記自船位置の振る舞い及び自船位置の変化に応じて設定された前記ラスタスキャンの読出領域に基づいて、前記表示用画像データを構成する画素データを読み出す、請求項１または請求項２に記載のレーダ装置。
【発明の詳細な説明】
【技術分野】
【０００１】
この発明は、極座標系の受信データを直交座標系の画素データに変換して表示するレーダ装置に関するものである。特に、複数の表示モードを備えたレーダ装置に関するものである。
【背景技術】
【０００２】
従来、自船の全方位の物標を検知するレーダ装置では、レーダアンテナを所定周期で回転させながら極座標系の受信信号を取得する。レーダ装置は、この極座標系の受信信号を直交座標系の画素データに変換して画像メモリに書き込み、所定タイミングで画像メモリに記憶された各画素データを読み出す。この際、画像メモリには一般的にＳＤＲＡＭが用いられている。表示器は二次元配列された表示ドット群からなり、画素データを所定周波数（例えば６０Ｈｚ）でラスタスキャンしながら表示する。
【０００３】
図７は、従来の一般的な画像メモリの画素アドレスＤＭと表示器のドットアドレスＤＤとの関係を示した図であり、図７（Ａ）が画像メモリの画素アドレスＤＭを示し、図７（Ｂ）が表示器のドットアドレスＤＭを示す。
【０００４】
図７に示すように、従来のレーダ装置では、ＳＤＲＡＭである画像メモリのＣｏｌ方向（行方向）と表示器のドットマトリクスのラスタスキャン方向とが一致するように設定されている。これは、ＳＤＲＡＭがＲｏｗ方向（列方向）に沿ってデータを読み出すよりも、Ｃｏｌ方向に沿ってデータを読み出すほうが、高速にデータの読み出しを行えるからであり、これにより、表示器のラスタスキャンの速度に対応するようにしている。
【０００５】
ところで、現在、レーダ装置では、自船や自船以外の物標等に対する表示態様が異なる複数のモードを設定することができる。例えば、北方向を基準方位と設定して当該基準方位を表示画像の上方向に設定する表示モード（以下、Ｎｏｒｔｈ−Ｕｐモードとする。）、自船の船首方位を表示画像の上方向に設定する表示モード（以下、Ｈｅａｄ−Ｕｐモードとする。）、目的地までの方位や表示モード設定時の船首方位など、予め設定した方位を上方向に設定する表示モード（以下、Ｃｏｕｒｓｅ−Ｕｐモードとする。）を選択することができる。また、自船位置を表示画像上の中心に固定するモード（以下、Ｒｅｌａｔｉｖｅモーションとする。）か、自船の移動に応じて自船位置を表示画像上で移動させるモード（以下、Ｔｒｕｅモーションとする。）かを選択することもできる。
【０００６】
ここで、これらのモードの組み合わせ方や、自船の移動や回頭に応じて表示画像を変化させる必要が生じる。このため、画像メモリのＣｏｌ方向と表示器のラスタスキャン方向との間に角度差が生じたり、自船の回頭等により当該角度差が変化する場合に問題が生じる。
【０００７】
図８は従来の表示方法の問題を説明するための図であり、図８（Ａ）は画像メモリのＣｏｌ方向と表示器のラスタスキャン方向とが所定の角度を成す場合のこれら方向の関係を表す図であり、図８（Ｂ）は画像メモリからの読み出し方法を説明するための画像メモリの拡大表示図である。なお、図８（Ｂ）において、黒丸が表示器の各ドットを模式的に示したものである。
図８に示すように、画像メモリのＣｏｌ方向と表示器のスキャン方向とが異なる場合、表示器のラスタスキャン方向に沿った読み出しを行おうとすると、複数の行（Ｒｏｗ）に跨って画素データを読み出さなければならない。ここで、ＳＤＲＡＭでは、Ｃｏｌ方向は高速に読み出しを行えるが、Ｒｏｗ方向は高速に読み出しを行うことができない。このため、ラスタスキャンによる画像描画に必要な画像の転送速度に画素データの読み出し速度を追随させることが難しくなる。
【０００８】
そのため、従来のレーダ装置では、ラスタスキャンの方向とＣｏｌ方向とを一致させる必要があり、アンテナが一回転して新しい画素データが画像メモリに書き込まれるまでは、前回書き込まれた画素データをそのまま表示器における同一位置の画素データとして読み出し、表示していた。このことから、Ｈｅａｄ−Ｕｐモードでレーダ画像を表示する場合には、仮に自船の船首方位が回頭したとしても、アンテナが一回転して画像メモリの全画素データが更新されるまでは、自船の船首方位にしたがった正しいレーダ画像を表示することができず、表示画像と自船の回頭をスムーズに追従させることができなかった。
【０００９】
この問題を解決する方法として、特許文献１に記載のレーダ装置がある。特許文献１に記載のレーダ装置では、当該特許文献１の発明の図２に示すように、所定の二次元配列された画素数からなる分割ブロックを画像メモリ内に配列設定し、表示のタイミングに応じて当該ブロック毎に画素データを読み出し、一旦ＳＲＡＭに記憶しておく。そして、特許文献１に記載のレーダ装置は、画像メモリのＣｏｌ方向と表示器のスキャン方向との角度差に応じて、ＳＲＡＭに一次記憶された画素データのうちの必要な画素データをＳＲＡＭから読み出し、表示している。
【特許文献１】特許第３６９６５０２号公報
【発明の開示】
【発明が解決しようとする課題】
【００１０】
しかしながら、上述の特許文献１に示す方法では、通常画像メモリとして利用されるＳＤＲＡＭとは別にＳＲＡＭを設けなければならず、装置としての構成要素が増加してしまうとともに、コストアップしてしまう。また、読み出しに際して、（１）ＳＤＲＡＭからＳＲＡＭへの一括転送、（２）表示方法に応じたＳＲＡＭからの読み出し、という二度の読み出しを行わなければならない。さらに、（１）のＳＤＲＡＭからの読み出しの際には、画像メモリの複数のＲｏｗの画素データを同時に読み込まなくてはならず、例えばＲｏｗ毎に並列に複数のＳＤＲＡＭを配置して、当該複数のＳＤＲＡＭから同時に読み出しを行う等の処理を実行しなければならず、大幅なコストアップとなる。
【００１１】
このような問題を鑑みて、本発明の目的は、選択された表示態様や自船の回頭、移動状況等に対して、簡素な構成で且つ煩雑な処理を行わずに素早く的確な画像表示を行うことができるレーダ装置を提供することにある。
【課題を解決するための手段】
【００１２】
この発明は、所定の周期で回転しながら所定の周波数信号の送受信を繰り返すことにより全周方向の受信データを取得するアンテナと、直交座標系で配列された画素データ群により構成され、極座標系の受信データを直交座標系の画素データに変換して記憶する画像メモリとを備えたレーダ装置に関するものである。そして、このレーダ装置は、データ書込部とデータ読出部とを備える。データ書込部は、所定の表示モードで画像データを記憶した際に、直交座標系において一方の座標軸上にＭ個分（Ｍは２以上の自然数）、他方の座標軸上にＮ個分（Ｎは２以上の自然数）のＭ×Ｎ個の画素データからなる画素ブロックが画像メモリにおける高速に読み出せる同一ライン上に配置されるように、画像メモリへ画素データを書き込む。スキャン方向設定部は、ラスタスキャンの方向を設定する。データ読出部は、設定されたラスタスキャンの方向に画素データの読み出しを画素ブロック毎に行うことにより、表示器に表示する表示用画像データの読み出しを行う。
【００１３】
この構成では、特定の絶対方位を基準方位とする固定直交座標系（例えば、北方向を基準方位とするＮｏｒｔｈ−Ｕｐ座標系）を仮定する。以下、この固定直交座標系を「仮定の画像メモリ用座標系」と称する。そして、仮定の画像メモリ用座標系において、一方の座標系上にＭ個分（Ｍは２以上の自然数）、他方の座標系上にＮ個分（Ｎは２以上の自然数）のＭ×Ｎ個の画素データからなる画素ブロックを設定する。そして、この画素ブロック内に配列されたＭ×Ｎ個の画素データを、画像メモリの高速読み出し可能な同一ライン上に配列されるようにアドレス設定する。これにより、極座標系の物標検出データは直交座標系に変換される際に、さらに当該アドレスに変換されて画像メモリへ書き込まれる。
【００１４】
このように書き込まれた画像メモリから画素データを読み出す場合、表示器のラスタスキャン方向にしたがって画素ブロック毎に画素データを読み出す。この際、同一の画素ブロックに含まれる複数の画素データは、画像メモリ上の高速読み出し可能な同一のライン上に配列されているので、高速に読み出しが可能である。ここで、仮定の画像メモリ用座標系の基準方位と表示画面の基準方位（表示器の上方向が示す方位）とが異なる等により、仮定の画像メモリ用座標系と実際の表示画面上の座標系とが所定の角度を有することがある。この場合、画素ブロックが仮定の画像メモリ用座標系の平面（二次元）領域に対応するので、この角度に応じて、単一の画素ブロック内にラスタスキャン方向に沿った複数の画素が存在する。したがって、このような対象となる画素データを表示対象の画素データとして選択して読み出せば、仮定の画像メモリ用座標系の基準方位と表示画面の基準方位とが異なっていても、表示器のラスタスキャン方向に応じた表示画像が高速で得られる。これにより、表示器の画像更新タイミングすなわちアンテナからの検知データの更新周期よりも高速な表示器のラスタスキャン周期に応じて画像を更新処理することができ、自船の状況に応じた違和感の無い画像の表示が可能になる。
【００１５】
また、この発明のレーダ装置のスキャン方向設定部は、自船の船首方位に応じて表示用画像データの表示器における基準方位が変化する表示モード（Ｈｅａｄ−Ｕｐモード）時に、船首方位の変化に追従してラスタスキャンの方向を設定する。
【００１６】
この構成では、ラスタスキャンの方向が船首方位に応じて変化すると、仮定の画像メモリ用座標系におけるラスタスキャンの方向の角度が変化する。したがって、変化後の角度に応じて画素データを読み出すことで、自船の船首方位に応じて表示の基準方位が変化する場合であっても、素早く画像が表示更新される。
【００１７】
また、この発明のレーダ装置は、表示器における自船位置の振る舞いを設定するモーション設定部をさらに備える。そして、レーダ装置のデータ読出部は、モーション設定（自船位置の振る舞い）および自船位置の変化に応じて設定されたラスタスキャンの読出領域に基づいて、表示用画像データを構成する画素データを読み出す。
【００１８】
この構成では、モーション設定によりスイープ回転の中心位置（自船位置）が常時表示画面上の特定位置に存在し続けるか、自船の移動によりスイープ回転の中心位置（自船位置）が移動するかの選択ができる。そして、このような表示方法の違いにより、読み出し対象となる画素データは変化する。ここで、モーション設定の変化に応じてラスタスキャンの開始位置および終了位置を適宜設定することで、対象となる画素データを正確に選択できるので、選択したモーション設定および自船の移動に応じて、素早く画像が表示更新される。
【発明の効果】
【００１９】
この発明によれば、自船の移動・回頭状況や表示モード、モーション設定に影響されることなく、簡素な構成で且つ煩雑な処理を行わずに、素早く且つ的確な画像表示を実行することができる。
【発明を実施するための最良の形態】
【００２０】
本発明の実施形態に係るレーダ装置について図を参照して説明する。なお、本実施形態では、レーダ装置を例に説明するが、ソナー等、物標を検知して表示する装置であれば、本実施形態は適用することができる。
【００２１】
図１は本実施形態のレーダ装置の主要構成を示すブロック図である。
レーダアンテナ１は、所定回転周期で水平面を回転しながら、回転周期とは異なる送受信周期で、パルス状電波を放射するとともに、自装置周囲にいる物標からの反射波を極座標系で受信する。レーダアンテナ１は、受信信号を受信部２に出力するとともに、スイープ角度データをアンテナ相対角度発生部５に出力する。
【００２２】
受信部２は、レーダアンテナ１からの受信信号を検波して増幅し、ＡＤ変換部３に出力する。ＡＤ変換部３は、このアナログ形式の受信信号を複数ビットからなるデジタルデータ（エコーデータ）に変換する。
【００２３】
スイープメモリ４は、デジタル変換された１スイープ分のエコーデータを実時間で記憶し、次の送信により得られるエコーデータが再び書き込まれるまでに、この１スイープ分のエコーデータを、スキャン相関処理部９へ出力する。
【００２４】
アンテナ相対角度発生部５は、スイープ回転の中心に対する所定方向（例えば船首方向）を基準としたアンテナ角度θを処理用書込アドレス発生部８および表示用書込アドレス発生部１１へ出力する。
【００２５】
位置・方位センサ６は、ＧＰＳ測位装置等からなり、自船の現在位置を示す自船位置データおよび自船の船首方位を示す船首方位データを検出して、ＣＰＵ７へ出力する。ＣＰＵ７は、自船位置データおよび船首方位データを処理用書込アドレス発生部８および表示用書込アドレス発生部１１へ出力する。また、ＣＰＵ７は、操作部１５で選択された表示モード（Ｎｏｒｔｈ−Ｕｐモード，Ｈｅａｄ−Ｕｐモード，Ｃｏｕｒｓｅ−Ｕｐモード）とモーション設定（Ｔｒｕｅモーション，Ｒｅｌａｔｉｖｅモーション）との組み合わせから表示仕様を設定し、表示仕様データを作成する。
【００２６】
ＣＰＵ７は、自船位置データ、船首方位データ、および表示仕様データに基づいて表示領域（本発明の「ラスタスキャンの読出領域」に相当する。）を設定し、当該表示領域を読み出すためのスタートアドレス（表示用読出スタートアドレス）およびエンドアドレス（表示用読出エンドアドレス）と、ラスタスキャン方向を表示用読出アドレス発生部１２へ出力する。このように、ＣＰＵ７が本発明の「スキャン方向設定部」の機能を有する。
【００２７】
処理用書込アドレス発生部８は、例えば上述のＮｏｒｔｈ−Ｕｐモードのように基準方位を北方位（Ｎｏｒｔｈ−ＵＰ）とし、自船の移動によってスイープ回転の中心が変化する（Ｔｒｕｅモーション）直交座標系により画素がマッピングされた処理用画像メモリ１０Ａに対する書込アドレスを発生する。この際、処理用書込アドレス発生部８は、アンテナ相対角度発生部５からのアンテナ角度θと、スイープメモリ４からのスイープ回転の中心を基準とした１スイープ上の読み出し位置ｒと、ＣＰＵ７からの自船位置データおよび船首方位データとに基づいて、処理用画像メモリ１０Ａ用の書込アドレスを発生する。
【００２８】
処理用画像メモリ１０Ａは、海面反射による受信信号やノイズなどの、アンテナ回転毎にランダムに現れるエコーデータを抑圧するスキャン相関処理を行うためのスキャン相関データが記憶される記憶媒体であり、上述のような直交座標系のアドレスで設定された二次元配列の画素でマッピングされるＳＤＲＡＭからなる。
【００２９】
スキャン相関処理部９は、スイープメモリ４からのエコーデータが入力されて極座標系から直交座標系へ変換されるのに同期して、処理用画像メモリ１０Ａにおける今回のエコーデータに対応する位置の過去の複数スキャン分のスキャン相関データを読み出し、スキャン相関処理を行う。スキャン相関処理部９は、今回のスキャン相関データを、処理用画像メモリ１０Ａの対応する画素アドレスに更新記憶するとともに、表示用画像メモリ１０Ｂへ出力する。
【００３０】
表示用書込アドレス発生部１１は、図３に示すメモリマッピングからなる表示用画像メモリ１０Ｂに対する書込アドレスを発生する。この際、表示用書込アドレス発生部１１は、処理用画像メモリ１０Ａと同様のＮｏｒｔｈ−Ｕｐモード／Ｔｒｕｅモーションの直交座標系を仮定した上で、アンテナ相対角度発生部５からのアンテナ角度θと、スイープメモリ４の１スイープ上の読み出し位置ｒと、ＣＰＵ７からの自船位置データおよび船首方位データとに基づいて上記直交座標系における画素アドレスを算出する。そしてさらに、以下に示す特定のアドレス変換処理を行うことで、表示用画像メモリ１０Ｂ用の書込アドレスを発生する。
【００３１】
表示用画像メモリ１０Ｂは、ＳＤＲＡＭからなり、図３に示すようなメモリマッピングで各画素のアドレスが設定され、当該画素毎に画素データが記憶されている。
【００３２】
ここで、表示用画像メモリ１０Ｂのアドレス設定方法について、図２、図３を参照して説明する。
図２は、表示用画像メモリ１０Ｂのアドレス設定の概念を説明するための図であり、図２（Ａ）がアドレス設定のために仮定の画像メモリ用座標系で設定したＮｏｒｔｈ−Ｕｐモードでの仮定の画像メモリ全体をブロック分けしてなる画素ブロックＢＡの配列概念を示し、図２（Ｂ）が画素ブロックを構成する画素の配列概念を示す。
図３は、図２に示す概念を利用した表示用画像メモリ１０Ｂのメモリマッピングを示す図である。
【００３３】
なお、以下では、表示用画像メモリ１０Ｂが、直交座標系の一方の軸方向であるＣｏｌ方向へ１０２４画素、他方の軸方向であるＲｏｗ方向へ１０２４画素となる画素数で構成されている場合について説明する。
【００３４】
まず、Ｃｏｌ方向１０２４画素×Ｒｏｗ方向１０２４画素からなる図２（Ａ）に示すような画像メモリを、上述の処理用画像メモリ１０Ａと同様の画素配列からなる仮定の画像メモリとして設定する。この際、図２（Ａ）の例であれば、Ｎｏｒｔｈ−Ｕｐモードであるので、Ｒｏｗ方向に沿って南北方向が設定されるとともに、当該仮定の画像メモリ全体のスタートアドレスを最北西の画素に割り当てるようにアドレスを設定する。
【００３５】
次に、この仮定の画像メモリの全体領域を、Ｃｏｌ方向１６画素×Ｒｏｗ方向１６画素からなる画素ブロックＢＡで分割する。これにより、仮定の画像メモリでは、それぞれが１６画素×１６画素からなる画素ブロックＢＡが、Ｃｏｌ方向およびＲｏｗ方向に沿って二次元配列されているように設定される。この際、先のスタートアドレスの画素を含む画素ブロックＢＡ０が最北西の画素ブロックに割り当てられるとともに、他の画素ブロックＢＡ１〜ＢＡ４０９５も二次元配列されるように設定される。より具体的には、スタートアドレスを含む最北西端には、画素ブロックＢＡ０が配置され、Ｃｏｌ方向に沿って、順に画素ブロックＢＡ１，ＢＡ２，・・・，ＢＡ６３が配列される。そして、仮定の画像メモリのＣｏｌ方向の端部に達すると、Ｒｏｗ方向へ割り当て領域をシフトし、同様にＣｏｌ方向に沿って画素ブロックＢＡ６４〜ＢＡ１２７が配列される。このような画素ブロックＢＡ群の配列は順次行われ、最南東の画素（すなわちスタートアドレスとは正反対の当該仮定の画像メモリのエンドアドレスの画素）を含む画素ブロックＢＡ４０９５までが図２（Ａ）に示すように順次配列される。
【００３６】
各画素ブロックＢＡは、上述のように１６画素×１６画素からなる。各画素ブロックＢＡは、当該画素ブロック内における最北西端の画素に最も小さいアドレスを与え、最南東端の画素Ｄ２５５に最も大きいアドレスが割り当てられるように、画素が配列される。例えば、図２（Ｂ）に示す画素ブロックＢＡ０であれば、最北西端の画素がアドレスＤ０となり、Ｃｏｌ方向に沿ってＤ１，Ｄ２，・・・，Ｄ１５とアドレスが割り当てる。次にアドレス設定をＲｏｗ方向へ一つシフトさせて、Ｃｏｌ方向に沿ってＤ１６〜Ｄ３１のアドレスを割り当てる。このようなアドレス設定を繰り返し、画素ブロックＢＡ０の最南東端の画素にアドレスＤ２５５を割り当てる。次に、図示しないが、画素ブロックＢＡ０にＣｏｌ方向で隣り合う画素ブロックＢＡ１では、当該画素ブロックＢＡ１内の最北西端の画素にアドレスＤ２５６を割り当て、画素ブロックＢＡ１内の最南東端の画素にアドレスＤ５１１を割り当てる。以下、各画素ブロックＢＡに対しても、同様に画素のアドレス割当が設定される。これにより、各画素ブロックＢＡは、仮定の画像メモリ上の二次元領域の画素データを記憶するように設定される。
【００３７】
このような基準方位を有しブロック分けされた仮定の画像メモリに対して、表示用画像メモリ１０Ｂでは、一つの画素ブロックＢＡを構成する画素群が、同じＲｏｗアドレス上に配置される。この際、一つの画素ブロックＢＡを構成する画素群はＣｏｌ方向（高速読出方向）に沿ってアドレスが増加するように配列される。例えば、具体的に図３に示すように、画素ブロックＢＡ０を構成する２５６個の画素は、Ｒｏｗ（Ｎ１）上において、アドレスＤ０の画素からアドレスＤ２５５の画素の順でＣｏｌ方向に沿って順次配列される。同様に、画素ブロックＢＡ１を構成する２５６個の画素は、画素ブロックＢＡ０の画素群に引き続き、Ｒｏｗ（Ｎ１）上においてアドレスＤ２５６の画素からアドレスＤ５１１の画素の順でＣｏｌ方向に沿って配列される。さらに、画素ブロックＢＡ２を構成する２５６個の画素は、画素ブロックＢＡ１の画素群に引き続き、Ｒｏｗ（Ｎ１）上においてアドレスＤ５１２の画素からアドレスＤ７６７の画素の順でＣｏｌ方向に沿って配列される。このような配列が全ての画素ブロックＢＡ０〜ＢＡ４０９５に対して行われる。
【００３８】
このように、表示用画像メモリ１０Ｂは、基準方位を有する直交座標系の仮定の画像メモリ領域を分割する複数の画素ブロックを設定して、当該設定された各画素ブロックにおける二次元配列の画素群を、高速読み出し可能な同一ライン上に配列するようにアドレスマッピングを行い、当該画素毎に画素データを記憶する。
【００３９】
そして、このようなアドレスマッピングが行われた表示用画像メモリ１０Ｂに対して、表示用読出アドレス発生部１２から読出アドレスが与えられる。
【００４０】
表示用読出アドレス発生部１２は、ＣＰＵ７からの表示用読出スタートアドレスおよび表示用読出エンドアドレスと、ラスタスキャン方向に応じて、表示用画像メモリ１０Ｂに対する読出アドレスを設定する。この読み出し処理は、表示器１４の画面の更新タイミングに同期して行われる。すなわち、アンテナの回転速度により決定される表示用画像メモリ１０Ｂへの更新書き込み処理よりも高速な表示器１４のラスタスキャン速度（周波数）に同期して行われる。
【００４１】
図４および図５はＣＰＵ７および表示用読出アドレス発生部１２による読出アドレスの設定方法をより具体的に説明するための図である。図４は読出アドレスの決定方法を示す図であり、図５は表示用画像メモリ１０Ｂからの読出方法を説明する図である。
【００４２】
ＣＰＵ７は、表示仕様データ（表示モードとモーション設定との組み合わせ）、自船位置データおよび船首方位データに基づいて、仮定の画像メモリ上における表示器１４のラスタスキャン方向、表示用読出スタートアドレスおよび表示用読出エンドアドレスを設定する。具体的には、ＣＰＵ７は、表示画面の左上角のドットアドレスを仮定の画像メモリ上のアドレスに変換した画素アドレスを表示用読出スタートアドレスに設定し、表示画面の右下角のドットアドレスを仮定の画像メモリ上のアドレスに変換した画素アドレスを表示用読出エンドアドレスに設定する。これにより、仮定の画像メモリ上に、実際に表示器１４上に表示される表示対象エリアを設定する。
【００４３】
例えば、図４は、Ｈｅａｄ−Ｕｐモード／Ｔｒｕｅモーションが設定された場合を示しており、この場合、ＣＰＵ７は、表示器１４の中心ドットを仮定の画像メモリ領域の中心アドレスに設定する。また、ＣＰＵ７は、船首方位データが得られているので、船首方位に応じて仮定の画像メモリ領域のＣｏｌ方向に所定角を成すラスタスキャン方向と表示用読出スタートアドレスおよび表示用読出エンドアドレスとを設定する。これらのデータは、ＣＰＵ７から表示用読出アドレス発生部１２へ与えられる。これらのデータはＣＰＵ７により自船位置の変化や自船の回頭、表示モードやモーションの設定変更に応じて逐次決定され、表示用読出アドレス発生部１２へ与えられる。
【００４４】
表示用読出アドレス発生部１２は、設定されたラスタスキャン方向と、表示用読出スタートアドレスおよび表示用読出エンドアドレスとに基づいて、表示器１４の各ドット位置と仮定の画像メモリ領域の各画素との重なりを検出し、重なる位置の画素アドレスを取得する。この際、表示用読出アドレス発生部１２は、この処理を、図４（Ｂ）に示すように画素ブロックＢＡ毎で且つスキャンライン毎に行う。
【００４５】
この処理について、より具体的に、図４（Ａ）に示すような位置に設定された画素ブロックＢＡａに対して、スキャンラインＬＡ，ＬＢが交差する場合を例に説明する。まず、表示用読出アドレス発生部１２は、表示用読出スタートアドレス、表示用読出エンドアドレス、およびラスタスキャン方向に基づいて、先に読み出させるべきスキャンラインＬＡが画素ブロックＢＡａの領域に交差することを検出すると、このスキャンラインＬＡ上に存在する表示器１４の各ドット位置（図４（Ｂ）に示す黒丸）を用いて取得し、当該ドット位置に重なり合う画素（図４（Ｂ）におけるハッチングの画素）のアドレスを読み出し対象として設定する。このようなスキャンラインＬＡに対する読出アドレスの設定は、画素ブロックＢＡａに対する設定の後も、スキャンラインＬＡが交差する画素ブロック毎に順次行われる。この後、表示用読出アドレス設定部１２は、スキャンラインＬＢが画素ブロックＢＡａの領域に交差することを検出すると、スキャンラインＬＡの場合と同様に、スキャンラインＬＢ上のドット位置に対応する読み出し対象となるアドレスを設定する。
【００４６】
表示用読出アドレス発生部１２は、このような読み出し対象となるアドレスの設定処理を、表示器１４の全てのドットについてスキャンライン毎に行い、表示用画像メモリ１０Ｂに対する読出アドレスを決定し、表示用画像メモリ１０Ｂへ与える。
【００４７】
表示用画像メモリ１０Ｂでは、表示用読出アドレス発生部１２から受け付けた読出アドレスにしたがって、画素ブロック毎に順次画素データの読み出しを行う。ここで、前述のように、単一の画素ブロックＢＡを構成する二次元配列からなる全ての画素データが同一Ｒｏｗアドレス上に配列されているので、一度の読み出し処理により、基準方位を有する直交座標系の仮定の画像メモリにおける二次元配列された画素データを高速に読み出すことができる。すなわち、従来例のようにＣｏｌ方向とラスタスキャン方向とが異なる場合に、複数のＲｏｗを連続して順次読み出さなくても（図７（Ｂ）参照）、一つの画素ブロックに含まれるラスタスキャン方向に沿った二次元配列の画素データの読み出しを、高速読み出し可能な一つのＲｏｗの読み出しだけで実行することができる（図５参照）。これにより、一つのＲｏｗを読み出す本実施形態の手法を用いれば、複数のＲｏｗを順次読み出すよりもラスタスキャン方向に沿った画素データを高速に読み出すことができる。
【００４８】
このように読み出された画素データは、表示用ラインバッファ１３へ出力される。表示用ラインバッファ１３は、表示器１４のドットライン（スキャンライン）毎に画素データをバッファ処理して、表示器１４へ出力する。表示器１４は、表示用ラインバッファ１３からの画素データを、当該画素データ毎のレベルに応じて輝度等を設定して表示画面上に表示する。
【００４９】
以上のように、本実施形態の構成を用いれば、各種の表示モードや自船の移動・回頭等により表示器上のラスタスキャン方向と、固定直交座標系で設定された画像メモリの高速読み出し方向が一致しなくなっても、表示器の画像更新に同期して高速に現況に応じた画像を表示することができる。
【００５０】
なお、上述の説明では、現況画像を表示するレーダ装置を例にしたが、航跡（トレイル）を表示するレーダ装置についても同様に上述の構成を適用することができる。図６は、現況画像と航跡画像とを同時に表示するレーダ装置の構成を示すブロック図である。
【００５１】
図６に示すように、現況画像と航跡画像とを同時に表示するレーダ装置は、上述の図１に示したレーダ装置の構成に追加して、航跡データ生成部２１と、航跡用画像メモリ１０Ｃと、画像合成部２２と、航跡用書込アドレス発生部２３とを備える。航跡データ生成部２１は、航跡用画像メモリ１０Ｃに記憶されている一スキャン前の航跡画像データを読み出し、スキャン相関処理後の今回のエコーデータと一スキャン前の航跡画像データを用いて、今回の航跡画像データを生成する。航跡用書込アドレス発生部２３は、航跡データ生成部２１が生成した今回の航跡画像データを、航跡用画像メモリ１０Ｃの対応する画素アドレスに更新記憶するための書込アドレスを発生する。航跡用画像メモリ１０Ｃは、処理用画像メモリ１０Ａと同じＳＤＲＡＭで且つ同様のアドレスマッピングからなり、航跡用書込アドレス発生部２３からの書込アドレスにしたがって航跡用画像データを記憶する。画像合成部２２は、同じアドレスマッピングからなる処理用画像メモリ１０Ａからの画素データと航跡用画像メモリ１０Ｃからの対応する画素データ同士とを合成して、表示用画像メモリ１０Ｂへ出力する。この表示用画像メモリ１０Ｂへの書き込みは上述のように表示用書込アドレス発生部１１からの書込アドレスにしたがって行われる。そして、このようにして書き込まれた画素データは上述の読み出し処理により読み出され、表示される。
【００５２】
これにより、航跡を表示するレーダ装置であっても、自船の移動、回頭等に応じた的確な画像表示を素早く実行することができる。
【００５３】
また、上述の説明では、処理用画像メモリと表示用画像メモリとを別に設置した例を示したが、一つの画像メモリにしてもよい。すなわち、処理用画像メモリとしての機能と表示用画像メモリとしての機能とを兼用する画像メモリを用いてもよい。このような構成を用いる場合、兼用の画像メモリには、上述の表示用画像メモリと同様に表示用の書込アドレスを用いて画素データが記憶される。したがって、スキャン相関処理部９は、当該表示用の書込アドレスにより書き込まれた画素データを用いてスキャン相関処理を行う。
【００５４】
ここで、自船の移動や回頭が有ればスキャン相関処理用の読出アドレスを変更しなければならないが、固定直交座標系からなる上述の仮定の画像メモリにおける画素のシフト量や基準方位の変化を自船の移動や回頭の検出状況に応じて設定することで、今回のエコーデータに対応する画素データの仮定の画像メモリ上におけるアドレスを正確に決定して読み出すことができる。すなわち、画素のシフト量や基準方位の変化を加味して、仮定の画像メモリ上における今回のエコーデータに対応する画素アドレスを取得し、当該画素アドレスの画素データをスキャン相関処理部９に与える。スキャン相関処理部９は、このように与えられた画素データと今回のエコーデータとを用いてスキャン相関処理を行い、兼用の画像メモリ上に更新記憶する。このような処理を行うことで、兼用の画像メモリが二次元配列された画素ブロックの画素データを一つのＲｏｗ方向に配列するような構成であっても、自船の移動・回頭状況や表示モード、モーション設定に影響されることなく、正確にスキャン相関処理を行うことができる。また、このような兼用の画像メモリに対して、ラスタスキャン方向や表示用読出スタートアドレス、表示用読出エンドアドレスを設定すれば、自船の移動・回頭状況や表示モード、モーション設定に影響されることなく、的確な画像表示を素早く行うことができる。
【００５５】
また、上述の説明では、各画像メモリの画素数を１０２４×１０２４としたが、画像メモリの画素数はこれに限るものではない。また、画素ブロックを構成する画素数、上述のような１６×１６に限る必要はなく、適宜設定すればよい。この際、二次元配列は正方形領域に限らず長方形領域であってもよい。すなわち直交座標系の一方の軸に沿った画素数と他方の軸に沿った画素数とは同じでなくてもよい。
【００５６】
また、上述の処理用画像メモリ１０Ａおよび仮定の画像メモリ用座標は、Ｎｏｒｔｈ−Ｕｐモード／Ｔｒｕｅモーションに設定した場合を示したが、表示モードはＮｏｒｔｈ−Ｕｐモードに限らず固定の方位を基準とする直交座標系でアドレス設定されていればよい。また、船首方位の変化に追従して表示用画像データの向きを回転表示させるためであれば、モーション設定をＴｒｕｅモーションに設定する必要はなく、他のモーション設定であってもよい。
【００５７】
また、上述の説明では、表示モードとモーション設定とが選択可能な場合を例に示したが、いずれか一方のみが選択可能な装置であっても上述の構成を適用することができる。
【００５８】
また、上述の説明では、表示器のラスタスキャンのタイミングに同期する例を示したが、表示用画像メモリへの書き込みと読み出しとが別であり、高速な読み出しが必要な場合であれば、上述の構成を適用することができる。
【図面の簡単な説明】
【００５９】
【図１】本発明の実施形態のレーダ装置の主要構成を示すブロック図である。
【図２】表示用画像メモリ１０Ｂのアドレス設定の概念を説明するための図である。
【図３】図２に示す概念を利用した表示用画像メモリ１０Ｂのメモリマップを示す。
【図４】読出アドレスの決定方法を示す図である。
【図５】表示用画像メモリ１０Ｂからの読出方法を説明するための図である。
【図６】本発明の実施形態のレーダ装置の別の主要構成を示すブロック図である。
【図７】従来の一般的な画像メモリの画素アドレスＤＭと表示器のドットアドレスＤＤとの関係を示した図である。
【図８】従来の表示方法の問題を説明するための図である。
【符号の説明】
【００６０】
１−レーダアンテナ、２−受信部、３−ＡＤ変換部、４−スイープメモリ、５−アンテナ相対角度発生部、６−位置・方位センサ、７−ＣＰＵ、８−処理用書込アドレス発生部、９−スキャン相関処理部、１０Ａ−処理用画像メモリ、１０Ｂ−表示用画像メモリ、１１−表示用書込アドレス発生部、１２−表示用読出アドレス発生部、１３−表示用ラインバッファ、１４−表示器、１５−操作部、２１−航跡データ生成部、２２−画像合成部、２３−航跡用書込アドレス発生部
【図１】
2010091304.tif 000003
【図２】
2010091304.tif 000004
【図３】
2010091304.tif 000005
【図４】
2010091304.tif 000006
【図５】
2010091304.tif 000007
【図６】
2010091304.tif 000008
【図７】
2010091304.tif 000009
【図８】
2010091304.tif 000010